(57)【要約】  開示されているのは、各デバイス（１ａ〜ｃ）に配置された、前記デバイス（１ａ〜ｃ）を識別し事前定義の範囲（１７ａ〜ｃ）を有する信号（５ａ〜ｃ）をそれから送信できる少なくとも１つの送信器ユニット（３ａ〜ｃ）を含む離隔されたデバイス（１ａ〜ｃ）の日時順受入れを判定する配置である。１人の個別の人（６ａ〜ｃ）によって運ばれ、信号用の受信器（４ａ〜ｄ）および所与の間隔中に放たれた信号（５ａ〜ｃ）のデータ内容を保管するデバイス・メモリを有する複数のパーソナル装置（７ａ〜ｄ）が提供される。各送信器ユニット（３ａ〜ｃ）の範囲は、めいめいの送信範囲（９ａ〜ｃ）を定義する。送信範囲（９ａ〜ｃ）および受信器（４ａ〜ｄ）の受信感度は、デバイス（１ａ〜ｃ）が人（６ａ〜ｃ）によって運ばれるパーソナル装置（７ａ〜ｄ）に関する人間の注意または知覚の通常のゾーンの外に位置する場合にデータを受信できない形で互いに調整される。
2007504724.tif 000002
【特許請求の範囲】
【請求項１】
デバイス（１ａ〜ｃ）の受入レベルを判定する方法であって、データ内容を有し、事前定義の範囲（１７ａ〜ｃ）を定義する送信電力を有する電磁識別信号（５ａ〜ｃ）が、少なくとも１つの前記デバイス（１ａ〜ｃ）によって放たれることを特徴とし、瞬間的なデータ内容が、人（６ａ〜ｄ；２４）によって運ばれるパーソナル装置（７ａ〜ｄ；４１；１４１）によって受信され、保管され、前記送信電力および前記デバイス（１ａ〜ｃ）の範囲が、前記パーソナル装置（７ａ〜ｄ；４１；１４１）の受信感度と一緒に、前記デバイス（１ａ〜ｃ）が前記人（６ａ〜ｄ；２４）によって身に着けられるか運ばれている前記パーソナル装置（７ａ〜ｄ；４１；１４１）に関する人間の注意または知覚の通常の範囲（２５）の外に位置する場合にデータ受信がもはや不可能になる形で互いに調和されることを特徴とする、方法。
【請求項２】
さらなる情報が、前記パーソナル装置（４１；１４１）上の入力手段（６３；１６３、１９０〜１９４）によって装置メモリ（５５；１５５）に保管されることを特徴とする、請求項１に記載の方法。
【請求項３】
前記デバイス（１ａ〜ｃ）のうちの１つの前記識別信号（５ａ〜ｃ）の受信されたデータ内容に従う前記入力手段（６３；１６３、１９０〜１９４）による前記保管が、具体的には質問／応答情報として実行されることを特徴とする、請求項２に記載の方法。
【請求項４】
前記入力手段（６３；１６３、１９０〜１９４）による前記保管が、前記デバイス（１ａ〜ｃ）のうちの１つの前記電磁識別信号（５ａ〜ｃ）の前記データ内容の前記受信と独立であり、前記データ内容の前記受信と同時に行われることができることを特徴とする、請求項２に記載の方法。
【請求項５】
次の情報アイテム
ａ）媒体の、具体的にはラジオの、テレビジョンの、または印刷媒体の使用の位置と、
ｂ）前記印刷媒体の前記使用の時刻および／または持続時間と、
ｃ）前記媒体のまたは前記デバイスのうちの１つの前記使用の定性的表示と
のうちの少なくとも１つが、前記パーソナル装置（４１；１４１）内の前記入力手段（６３；１６３、１９０〜１９４）によって記録されることを特徴とする、請求項２乃至４のいずれか１項に記載の方法。
【請求項６】
識別信号の、電磁放射によって送信される前記データ内容に加えて、具体的には可聴の、環境情報、好ましくはラジオ局またはテレビジョン局のサウンドトラックも、前記識別信号の前記データ内容の前記受信と独立に受信され、保管され、前記環境情報の前記受信および前記保管を、前記識別信号の前記データ内容の前記受信と同時に行うことができることを特徴とする、請求項１乃至５のいずれか１項に記載の方法。
【請求項７】
ａ）空間的に監視される区域からの複数のデバイス（１ａ〜ｃ）の信号および／またはある時間期間中の前記環境情報が、時間期間デバイス信号としてコントロール・センタ（２７）で保管され、
ｂ）前記識別信号または環境情報の前記時間期間中に各装置メモリ（５５；１５５）に保管されたデータ内容が、後に前記コントロール・センタ（２７）に送信され、
ｃ）そこに保管された前記時間期間デバイス信号との一致を形成するために読み出され、判定された一致が処理される
ことを特徴とする、請求項１乃至６のいずれか１項に記載の方法。
【請求項８】
次の情報アイテム
ａ）媒体、具体的にはラジオ、テレビジョン、または印刷媒体の使用の位置と、
ｂ）前記媒体の前記使用の時刻と、
ｃ）前記媒体の前記使用の持続時間と
のうちの少なくとも１つが、前記保管された環境情報との一致形成から判定されることを特徴とする、請求項７に記載の方法。
【請求項９】
同一の時間期間において受信された次の情報アイテム
ａ）前記識別信号のデータ内容と、
ｂ）前記入力手段（６３）からのさらなる情報と、
ｃ）環境情報と
のうちの少なくとも２つが、前記使用の位置および／または時刻および／または持続時間あるいは／ならびに前記デバイスまたは媒体に関する定性的詳細を同時に判定するために一緒に保管されることを特徴とする、請求項２乃至８のいずれか１項に記載の方法。
【請求項１０】
前記パーソナル装置（７ａ〜ｄ；４１；１４１）が、指定された間隔で、人間の注意または知覚の前記通常の範囲（２５）に対応する範囲を有する電磁開始信号を放ち、前記デバイス（１ａ〜ｃ）または前記パーソナル装置（７ａ〜ｄ；４１；１４１）が、好ましくは、前記識別信号を放つかこれを受信するため、具体的にはエネルギを節約するために、開始信号によって開始されることを特徴とする、請求項１乃至９のいずれか１項に記載の方法。
【請求項１１】
前記装置メモリ（５５；１５５）に保管される前記データが、時刻および／または日付などの時間情報アイテムと一緒に保管され、前記時間情報アイテムが、分範囲またはサブ分範囲で、秒範囲またはサブ秒範囲の信号持続時間で繰り返して発生することを特徴とする、請求項１乃至１０のいずれか１項に記載の方法。
【請求項１２】
デバイス（１ａ〜ｃ）の、具体的には互いに離隔されたデバイスの受入レベルを判定する請求項１乃至１１のいずれか１項に記載の方法を実行する配置であって、前記デバイス（１ａ〜ｃ）のうちの少なくとも１つに配置され、これによって、このデバイス（１ａ〜ｃ）を識別する電磁識別信号（５ａ〜ｃ）を事前定義の範囲（１７ａ〜ｃ）で複数のパーソナル装置（７ａ〜ｄ；４１；１４１）に放つことができる少なくとも１つの送信器ユニット（３ａ〜ｃ；１５）であって、前記複数のパーソナル装置（７ａ〜ｄ；４１；１４１）が、各場合に１人の人（６ａ〜ｃ；２４）によって身に着けられるか運ばれることができ、前記信号用の受信器（４ａ〜ｄ；４４；１４４）を有し、出力信号（５ａ〜ｃ）のデータ内容を事前定義の時間期間中に保管することができる装置メモリ（５５；１５５）を有し、各送信器ユニット（３ａ〜ｃ；１５）の前記範囲（１７ａ〜ｃ）が、めいめいの送信区域（９ａ〜ｃ；１６）を定義し、前記送信区域（９ａ〜ｃ；１６）および前記受信器（４ａ〜ｄ；１９ａ、ｂ；４４；１４４）の受信感度が、前記デバイス（１ａ〜ｃ）が前記パーソナル装置（７ａ〜ｄ；４１；１４１）に関する人間の注意または知覚の通常の範囲（２５）の外に位置する場合にデータ受信がもはや不可能になる形で互いに調和される、少なくとも１つの送信器ユニット（３ａ〜ｃ；１５）を特徴とする配置。
【請求項１３】
各パーソナル装置（４１；１４１）が、前記装置メモリ（５５；１５５）内のデータ量を減らし、かつ／または日時順割当を行い、かつ／または前記パーソナル装置（７ａ〜ｄ；４１；１４１）を身に着けているか運んでいる人（６ａ〜ｄ；２４）がどれほど頻繁におよび／もしくはどれほど長くデバイス（１ａ〜ｃ）のめいめいの送信区域（１６）内に位置したかを判定するためのタイマ（４０；１５１）を有し、好ましくは、それを用いて各装置メモリ（５５；１５５）のデータを読み出し、処理することができるコントロール・センタ（２７）があることを特徴とする、請求項１２に記載の配置。
【請求項１４】
前記タイマ（４０；１５１）が、めいめいのデバイス（１ａ〜ｃ）の前記送信区域（１６）内での前記パーソナル装置（７ａ〜ｄ；４１）を身に着けているか運んでいる前記人（６ａ〜ｄ；２４）の通常の存在時間をセッティングにセットするために、そのタイミングをデバイス信号によってクロック・シーケンス内で切り替えることができる形で設計されていることを特徴とする、請求項１３に記載の配置。
【請求項１５】
少なくともパーソナル装置の次の電子要素
ａ）電磁放射（５ａ〜ｃ）用の少なくとも１つの受信器（４４；１４４）と、
ｂ）各受信器（４４；１４４）によって受信できるデータ・レコードを保管する装置メモリ（５５；１５５）と、
ｃ）前記保管されたデータ・レコードを読み出すインターフェース（３８）と
を保持する腕時計ケーシングを特徴とする、請求項１２乃至１４のいずれか１項に記載の配置のためのパーソナル装置（１ａ〜ｃ；４１；１４１）。
【請求項１６】
前記装置メモリ（５５；１５５）と共同して受信されたデータ・レコードをそれを用いて同期式に保管できる同期化可能タイマ・ユニット（５２；１５１）、具体的には前記タイマ・ユニット（５２；１５１）に接続された時刻ディスプレイ（４５；１４７）を特徴とする、請求項１５に記載のパーソナル装置（１ａ〜ｃ；４１；１４１）。
【請求項１７】
前記パーソナル装置が前記人によって身に着けられず、運ばれていない時を判定する、具体的には温度センサ（１５７ａ）および／または移動センサ（１５７ｂ）を含むポータブル送信器を特徴とする、請求項１５または１６に記載のパーソナル装置。
【請求項１８】
前記装置メモリ（５５；１５５）にさらなる情報を保管する入力手段（６３；１６３；１９０〜１９３）であって、前記保管を、前記電磁識別信号の前記データ内容の前記受信と同時に独立に実行し、好ましくは前記パーソナル装置（４１；１４１）を身に着けるか運んでいる前記人に関する指示および／または前記パーソナル装置（４１；１４１）の現在の状況に関する情報を表示できるディスプレイ手段（４７；１４７）によって表示することが可能である、入力手段（６３；１６３；１９０〜１９３）を特徴とする、請求項１５乃至１７のいずれか１項に記載のパーソナル装置。
【請求項１９】
人間の注意または知覚の前記範囲（１６）内でのみ受信が可能になる形でセットされる事前定義の範囲（１７ａ〜ｃ）を定義する送信器電力を有する電磁放射用の送信器と、前記送信器ユニットに接続され、そのデータ内容がデバイス固有であるプログラム可能メモリとを特徴とする、請求項１２乃至１４のいずれか１項に記載の配置のための送信器ユニット（３ａ〜ｃ；１５）。
【発明の詳細な説明】
【技術分野】
【０００１】
本発明は、請求項１で請求されるデバイスの受入レベル（ａｃｃｅｐｔａｎｃｅ  ｌｅｖｅｌ）を判定する方法、請求項７で請求されるその方法を実行する配置、請求項１０で請求されるパーソナル装置、および請求項１４で請求される配置の送信器ユニットに関する。
【背景技術】
【０００２】
受入レベル、具体的には日時順受入レベルは、デバイスが見る人またはユーザに作用したかどうか、具体的にはどれほど長く作用したか、すなわち、ポスタまたは店のウィンドウなどのデバイスが、どれほど長い間見る人の視野にあったか、またはユーザが、レストラン、店の売り場、もしくは交通手段などの施設にどれほど長く位置したかを意味すると理解される。この情報は、デバイスが多少なりともユーザ作用したかどうか、および、どれほど強く作用し、その人によって知覚され、たとえば、購入を行うか何かを利用するか何かを見るようにその人に促すか要求することができるかの尺度である。
【０００３】
たとえば購入を行う時にレジで提示された顧客カードを出力することによって、購入挙動を判定する試みが行われてきた。購入された商品は、その後、カード所有者のデータに割り当てられ、中央コンピュータで処理され、保管された。その意図は、これから購入習慣を判定することであった。ここで望まれるものは、たとえば、商品の範囲を最適化し、かつ／または、たとえばめいめいの人にターゲティングされた形で広告材料を送ることであった。しかし、正確な購入プロファイルは、顧客カードが提示された場合に限って作ることができる。
【特許文献１】ＥＰ  ０  ５９８  ６８２  Ａ１
【発明の開示】
【発明が解決しようとする課題】
【０００４】
本発明の目的は、この目的に使用することができ、デバイスの受入レベルを、したがってそのデバイスに関連しない人ならびにそれに関連する人およびそのデバイスを使用する可能性のある人に対するそのデバイスの影響を可能にする方法および機器を提供することである。
【課題を解決するための手段】
【０００５】
この目的を達成する手段は、請求項１の特徴による方法に従って得られる。デバイスによれば、この目的は、請求項７で定義される配置によって達成され、その配置は、なかんずく、請求項１０で定義されるパーソナル装置および請求項１４で定義される送信器ユニットを有する。
【０００６】
本発明によれば、人に作用するデバイスの受入レベルは、電磁識別信号がこれらのデバイスのそれぞれによって事前定義の範囲で放たれることにおいて判定される。これは、少なくとも１つのデバイスに、その電磁信号を放つことができる送信器ユニットを配置することによって行うことができる。使用される送信電力およびアンテナは、事前定義の範囲が所与の環境条件の下でそのデバイスの位置で得られる形で設定または選択される。送信電力の設定は、たとえば、前に実行されたモデル計算または送信器デバイスがインストールされた後に実行される較正に基づくものとすることができる。識別信号の瞬間的データ内容は、人が、めいめいの範囲によって定義される送信区域内に位置する場合に、その人が運ぶか身に着けているパーソナル装置によって受信される。このデータ内容は、パーソナル装置の装置メモリにも保管される。送信区域およびパーソナル装置の受信感度は、人によって運ばれるか身に着けられているパーソナル装置に関して、デバイスが、人間の注意または知覚の通常の範囲の外に位置する場合に、データ受信が可能でなくなる形で互いに調和されている。
【０００７】
一般に、すべてのデバイスが、送信器を備えるが、そうする必要はない。対応するデータを、下で説明する「質問−応答対話」によってパーソナル装置に入力することもできる。
【０００８】
デバイスの注意または知覚の人間の範囲は、人が、デバイスの通常の特性を知覚しまたは認識し、あるいはデバイスの諸部分を使用しまたは処理するために居ることができる範囲と理解される。この用語は、下の複数の例によって明白になる。店のウィンドウの注意または知覚の範囲は、たとえば、陳列されている物体およびそのラベル（たとえば値札）を依然として認識できる視野範囲である。一般に、店のウィンドウのガラス・ペインから１ｍから３ｍの距離が意味されている。照明された広告塔の広告が検討される場合に、１ｍから２ｍの距離が仮定される。公共交通機関での使用の習慣が判定される場合に、注意または知覚の範囲は、車両の内部に制限される。自動機械がアクティブ化される場合には、それと接触する必要がある。しかし、歩行者について約２５ｍ、車両で移動する人について約５０ｍの相対的に大きい範囲を選択することもできる。
【０００９】
人との相互作用に関する受入れのレベルの判定は、保護されなければならないその人のプライベートな範囲と衝突する可能性がある。後続の評価のために、保管されたデータを読み出すことが必要でなければならない。前記データを誰もが解釈できなくするために、これを暗号化する。メモリ空間を節約もする暗号化の単純な方法は、コントロール・センタ内の事前定義の時間期間中に複数のデバイスを含む空間的に監視される区域からの信号を時間期間デバイス信号として保管するという形をとる。識別信号の、その時間期間中のパーソナル装置の装置メモリに保管されたデータ内容は、後に、コントロール・センタに送信され、読み出されて、それに保管された時間期間信号との一致を形成する、すなわち、送信される信号は、最大の度合の一致が発生するまで、コントロール・センタに保管されたさまざまな時間期間信号の複数の時間間隔と相関される。これから、パーソナル装置から受信された信号と受信の時刻の両方を判定することが可能である。判定された一致は、その後、たとえば、まずユーザ挙動に関する情報を形成するために個々の一致を処理することによって処理することができる、すなわち、ユーザがどのデバイスまたは媒体をいつどれだけ長く使用したかが判定される。複数のユーザにまたがる情報の静的評価を、順番の次のステップとして実行して、たとえばテレビジョン送信のスイッチオン・レートを判定することができる。
【００１０】
さらなるタイプの暗号化が、詳細な説明で指定される。
誤解釈を防ぐために、環境情報も同時に記録することができる。
雑音、光強度、環境温度などを、環境情報として使用することができる。
【００１１】
次に、めいめいのデバイスによって放たれたデータ内容の識別信号だけを保管することができる。しかし、めいめいのデバイスは、その識別信号と、さらに１つまたは複数の質問を有する質問カタログの両方を放つことができ、これらの質問は、その後、パーソナル装置の入力手段によって答えられる。質問カタログを、パーソナル装置に保管することもできる。入力された応答は、パーソナル装置の装置メモリに保管される。しかし、識別信号に、めいめいのデバイスの正確な位置指定も含めることができる。
【００１２】
質問カタログは、自動的に転送されない場合に、媒体、具体的にはラジオ、テレビジョン、または印刷媒体の使用の位置に関係することができる。この場合に、ユーザがそこから現在位置を選択できるさまざまな位置の選択対象、たとえば、「自宅」、「自動車内」、「オフィス」、「レストラン」などがユーザに提供されることが好ましい。選択を簡単にするために、さまざまな位置に異なる記号（たとえば、家、自動車、机、ナイフおよびフォークなど）を割り当てることができる。最も単純な場合に、選択を、単一の押しボタンキーの押下げの繰り返しによって行うことができる。
【００１３】
入力手段によってパーソナル装置に登録される情報は、印刷媒体すなわち、たとえば新聞、雑誌、定期刊行物、または書籍の使用の時刻および／または持続時間に関するものとすることもできる。この場合に、ユーザは、やはり、その媒体を読み始める前に、選択対象からその媒体のタイプ、題名、および／または刷数を選択することが好ましい。この形で、使用される媒体および使用の時刻が判定される。読み終わった時に、ユーザは、やはり、入力手段の１つをアクティブ化し、その結果、使用の持続時間も判定できるようにする。
【００１４】
質問カタログは、媒体の使用またはデバイスの１つの使用に関する定性的詳細すなわち、たとえば、レストラン、店、または映画館を訪問した後の満足レベル、印刷媒体、ラジオ放送、またはテレビジョン放送の内容に関する具体的な質問、音楽専門ラジオ局に関する満足レベルに関するものとすることもできる。
【００１５】
すべての場合において、入力手段をアクティブ化することによって、質問カタログに対する応答を、電磁識別信号の受信および保管と独立に、これと同時に実行することができる、すなわち、ユーザは、パーソナル装置が信号を受信しかつ／または処理する場合であっても、妨げられずに入力処理を継続することができる。このために、パーソナル装置は、入力手段に質問し、それから収集された情報を処理し、電磁信号を受信し、処理することが同時にできる形で設計される。それと同時に、適当な場合に、パーソナル装置のディスプレイを更新することもできる。
【００１６】
しかし、追加信号を受信する入力手段が存在することもできる。追加信号は、環境信号、たとえば、音響環境情報とすることができる。具体的に言うと、ラジオ局またはテレビジョン局のサウンドトラック（あるいはそれからの短い抜粋）を受け取り、適当な場合に受け取った信号の暗号化、符号化、および／または圧縮の後に、装置メモリに保管することができる。環境信号の受取りおよび保管は、電磁識別信号のデータ内容の受信と独立に実行され、この２つの信号タイプを同時に処理することができる。環境情報は、時間期間デバイス信号としてコントロール・センタで保管することもでき、その結果、パーソナル装置に最初に保管され、後にコントロール・センタに送信された環境情報との後の一致形成を行うことができるようになる。
【００１７】
さまざまな情報アイテムを、保管された環境情報との一致形成から判定することができる。この形で、使用の場所（内部、外部、自宅、公の場など）の雑音、明るさ、または温度を推論することが可能である。
【００１８】
異なる情報アイテムすなわち、識別信号のデータ内容、入力手段からの情報、および環境情報が同時に収集され、一緒に保管される場合に、媒体またはデバイスの使用のさまざまな態様、具体的には使用の位置、時刻、期間または定性的詳細を、同時に判定することができる。複数のデバイス、複数の媒体、または媒体およびデバイスが同時に使用されるという事実が、明瞭になる。デバイスの場合に、たとえば、位置および時刻の情報は、識別信号によって感知され、定性的情報は、パーソナル装置での手動入力によって感知される。ラジオまたはテレビジョンの場合に、送信器、時刻、および持続時間は、音響環境情報によって判定され、位置は、付近のデバイスからの識別信号および／または手動入力および／または環境情報によって判定される。印刷媒体の場合に、次に日時順詳細が、たとえば、ユーザによる手動入力によって判定され、位置の判定は、やはり、可用性に応じて、付近のデバイスからの識別信号および／または手動入力および／または環境情報によって実行される。もちろん、ある種のデバイスまたは媒体の場合に、情報の一部の判定をせずに済ませることが可能である。登録できるさまざまな情報アイテムを、さらに、補助的な形で登録することができる、すなわち、位置を判定するために、まず、付近のデバイスから識別信号を受信することを試みる。これが不成功の場合には、環境情報（音響、温度、明るさ）を登録し、保管する。さらに（またはある種の場合に）、ユーザに、さらなる情報を手動で入力するように要求することができる。
【００１９】
したがって、本発明による方法および対応するデバイスは、人によって運ばれるか身に着けられている単一の装置によるさまざまな媒体およびデバイスの同時登録を可能にする。データは、リアル・タイムで登録され、評価は、原則として、データの登録の直後に実行することができる。
【００２０】
しかし、音響環境情報、温度、および明るさのほかに、識別信号のデータ内容のほかに第２の信号または複数の信号を受け取ることも可能である。これの例示的実施形態は、詳細な説明にある。
【００２１】
次に、すべてのデバイスが、それ自体から信号を放つことができる。しかし、パーソナル装置は、信号を送信するためにデバイスを初期化することもできる。そのような方法は、主に、デバイス内でエネルギを節約しなければならない時に使用される。一般に、パーソナル装置が開始パルスを放つならばより有益であるが、多くの人が、電磁放射をしばしば放つパーソナル装置を身に着けるか運ぶことに嫌気を起こす。
【００２２】
町の一部、村、または都市全体とすることができる監視される区域内で互いに離隔されたデバイスからの受入レベルの判定の実行は、本発明に従って、監視される区域内の送信器ユニットを有する複数の装置と、データを保管する装置メモリを有するパーソナル装置をそれぞれが身に着けるか運ぶ複数の人とを有する配置によって達成される。送信器ユニットおよびパーソナル装置は、既に上で述べた特性を有する。
【００２３】
複数のパーソナル装置およびデバイスのそれぞれの少なくとも１つの送信器からなる配置は、動作の準備ができている。送信器は、めいめいのデバイスの特性を表し、経時的に変更することもできる信号を放つ形で設計されている。しかし、追加のコントロール・センタも、ある配置で使用されることが好ましい。このコントロール・センタは、中央メモリを有し、この中央メモリに、デバイスによって放たれた信号またはそのデータ内容のデータ・レコードを、事前定義に時間期間中に保管することができる。さらに、コントロール・センタは、それを用いて装置メモリを読み出すことができる読取ユニットと、それを用いて装置メモリの読み出されたデータ信号を中央メモリのデータ・レコードと共に一致ルーチンで判定し、評価することができる相関ユニットとを有する。コントロール・センタの使用は、データ圧縮を可能にし、したがって、パーソナル装置に保管されたデータ内容の許可されない読出に対するセキュリティを提供する。データ内容の暗号化が可能である。
【００２４】
次に、一連のパーソナル装置を評価するコントロール・センタを設けることが可能である。次に、めいめいのパーソナル装置が、コントロール・センタに読み出される。しかし、複数の固定コントロール・センタを、たとえばパーソナル装置を身に着けるか運ぶ少なくとも１人の人を有するすべての世帯に設けることもできる。この「ハウス・ステーション」（「ドッキング・ステーション」）は、たとえば、パーソナル装置からデータを読み出し、たとえば電話網を介して中央ユニットにそのデータを転送することができる。
【００２５】
そのような形で選択された送信器またはデバイスは、監視される区域内の異なる位置に置かれる。人のグループが、特定の特性に従って選択される場合、または、人口の一断面での１つの受入レベルだけを判定する場合に、どれほど頻繁に、どれほど長く特定のデバイスが訪問され、検討され、または使用されるかを、パーソナル装置に保管されたデータから判定することが可能である。この形で、なかんずく、広告がどれほど成功しているか、公共交通機関がどれほど頻繁にどの停留所の間で使用されているかを判定する手段が提供され、たとえば、店のウィンドウまたは広告掲示板で何が注意を引き付ける手段として働いているかを判定することも可能である。
【００２６】
パーソナル装置は、めいめいの人によって身に着けられるか運ばれる。この装置は、腕時計として設計され、その結果、目立ちすぎず、その人のためになることが好ましい。めいめいの人が、単一のパーソナル装置ではなく、両腕に１つずつパーソナル装置を身に着けている場合に、干渉測定を基礎として、その人がデバイスに関してどの向きであるかを判定することが可能になる。たとえば、その人が背中を向けて立っている場合に、広告が視覚的に引き付けるか見られることを除外することができる。
【００２７】
データが、ある時刻と共に登録される場合に、データ圧縮が可能である。その場合に、通常、異なる長さの見る時間または存在時間（ｐｒｅｓｅｎｃｅ  ｔｉｍｅ）がある。たとえば、店のウィンドウの前で、１分の存在時間は、既に十分に長い可能性がある。バスの中で、存在の時間は、既に十分により長く、映画館またはレストランではさらに長い。人に作用するデバイスに関する適度な詳細を判定するために、保管に使用される時刻を可変にすることができる。したがって、短い「アクション時間」を必要とするデバイスは、より高いクロック周波数（個々の測定の間のより短い時間）をもたらさなければならず、存在固有デバイスは、より低いクロック周波数（測定の間のより長い時間）をもたらす。したがって、デバイスの送信器によって放たれる信号を用いて、対応する時刻の符号を放つことが可能であり、この符号は、これに対応して、パーソナル装置のクロック送信器を切り替える。
【００２８】
本発明のさらなる有利な実施形態および特徴の組合せは、次の詳細な説明および請求項全体から明らかになる。
基本的に、同一の部分および要素には、複数の図面で同一の符号を付した。
【発明を実施するための最良の形態】
【００２９】
図１に示された本発明による配置の例示的実施形態は、互いに離隔されたデバイス１ａから１ｃの経時的な受入レベルを判定するという目的にかなう。デバイスは、人口に関するその受入レベルを判定される、店のウィンドウ、ポスタ、映画館、店、美術館、鉄道の駅、およびバス停留所などとすることができる。
【００３０】
受入れは、次のように理解される。たとえば、人口のどの部分がどの内容を有するどの店のウィンドウを見るか。人口のどの部分がいつ映画館に行き、どの映画を観るか。どの美術館が訪問され、何が見られるか。どのバス、列車が、どこからどこまで、いつ使用されるか。
【００３１】
少なくとも１つの送信器ユニット３ａから３ｃが、その受入レベルが判定されるユニット１ａから１ｃのそれぞれに配置される。送信器ユニット３ａから３ｃは、電磁識別信号５ａから５ｃを放ち、この電磁識別信号５ａから５ｃは、このデバイスを識別し、一般に短い、対応する送信電力によって事前に定義される範囲を有する。各送信器ユニット３ａから３ｃは、３２ビット符号によって形成される一意に定義された通し番号を有する。これによって、４０億個を超えるユニットを区別することが可能になる。各送信器ユニットは、さらなるデバイス固有情報を送信するのに使用することができる８ビット符号も送信する。たとえば、広告用、プレフィルム（ｐｒｅｆｉｌｍ）用、およびメイン・フィルム用の異なる符号を映画館で放つことができ、その結果、後で評価を行う時に、プログラムのこれらの部分の間で選択的に区別することが可能になる。送信器ユニット３ａから３ｃは、それぞれ事前に定義された時間（バースト）にそれらのすべてを識別する通し番号を送信する。
【００３２】
この識別信号５ａから５ｃのそれぞれを、人またはその人のパーソナル装置が送信器ユニット３ａから３ｃのうちの１つの送信区域９ａ、９ｂ、または９ｃ内に位置する場合に、人６ａから６ｄによって身に着けられるか運ばれるパーソナル装置７ａから７ｄの受信器によって受信することができる。図１の人６ａは、彼のパーソナル装置７ａと共に送信区域９ａ内に位置し、２人の人６ｃおよび６ｄは、彼らのパーソナル装置７ｃおよび７ｄと共に送信区域９ｃ内に位置する。パーソナル装置７ｂを有する人６ｂは、送信区域内に位置していない。
【００３３】
各送信器ユニットの範囲およびパーソナル装置のめいめいの受信器の感度は、デバイスが、人によって身に着けられるか運ばれているパーソナル装置に関して人間の注意または知覚の通常の範囲の外に位置する場合に、データ受信が不可能になる形で互いに調和されている。この事実を、図２で説明する。図２では、店のウィンドウ１３が、デバイス１ａから１ｄに似た形で概略的に示されている。店のウィンドウ１３の背後に、送信器ユニット３ａから３ｃに似た設計の送信器ユニット１５が配置されている。送信器ユニット１５は、送信区域９ａから９ｃに似たローブ様の送信区域１６内に電磁識別信号を放つ。したがって、送信区域１６内では、範囲１７ａから１７ｃが、放送の方向に応じて異なる。受信器に似た設計の各受信器１９ａおよび１９ｂが、その感度によって定義される空間的受信区域を有し、識別信号は、送信区域および受信区域が共通の区域すなわちオーバーラップする区域２２を有する時に、必ず受信される。図２に、２つの受信器１９ａおよび１９ｂの２つの受信区域２１ａおよび２１ｂが図示されている。
【００３４】
たとえば、店のウィンドウ１３内の陳列２３を認識し、査定することができるようにするために、見る人、ここでは人２４は、これも可能であるほどに近くに立たなければならない。人がこの距離ですべてを認識でき、査定できる区域は、人間の注意または知覚の範囲と定義される。送信区域１６および受信感度２１ｂは、見られる品目、ここでは陳列２３が注意または知覚の範囲２５内にある形で互いに調和される。下で述べるように、送信区域１６は、必ずしもめいめいのデバイスから始まる必要がない。デバイスを、受信器とすることもできる。同一のことが、受信感度にもあてはまる。
【００３５】
区域２５は、場合によって異なる。しかし、近視の人と遠視の人が眼鏡をかけていると仮定することが可能であり、したがって、説明を単純にするために、人間の注意または知覚の通常の範囲を使用する。しかし、必要な場合に、受信器１９ａまたは１９ｂを、個別に視力に合わせて調整するか、信号が聴覚信号である場合に個人の聴力に合わせて調整することも可能である。
【００３６】
下で述べる装置メモリ５５に保管される異なる識別信号データ・レコードが、後に、めいめいの人が関心を持ったものを見つけるために読み出される。人口の代表的な断面または単にある位置の非常に多数の人に対するそのような評価は、さまざまな質問に対する情報を提供するが、その質問のうちの非常に小さい選ばれたもののみを下にリストする。
＞どの広告手段が最も適し、どこで提供されなければならず、何を示さなければならないか。
＞どの道路および経路が、どの頻度で使用され、その道路のどちら側が使用されるか。
＞公共交通機関のどの連絡が、いつ、どれほど頻繁に使用されるか。
＞どの店のウィンドウ、店、近所の商店などが、いつ、どれほど頻繁に訪問されるか。
【００３７】
上で説明したパーソナル装置７ａから７ｄおよび送信器３ａから３ｃの配置は、動作の準備ができている。しかし、このシステムは、中央メモリ２９をコントロール・センタ２７に割り当てられることが好ましいが、これは全く強制的でない。中央メモリ２９は、信号によってユニット１ａから１ｃの送信器ユニット３ａから３ｃに接続される。この接続は、図１に示されているように回線３１ａから３１ｃ（たとえば電話網）を介して行うことができる。しかし、これを、無線通信によって行うこともできる。データ搬送波をコントロール・センタ２７に送信することも可能である。コントロール・センタ２７は、それを用いて各パーソナル装置７ａから７ｄの装置メモリ２６をインターフェース３８を介して読み出すことができる読取ユニット３３と、それを用いて装置メモリの読み出されたデータ信号を中央メモリ２９のデータ・レコードと共に一致ルーチンで判定し、評価ユニット３７内で評価できる相関ユニット３５とも有する。
【００３８】
パーソナル装置４１（図３）は、好ましくはクロック・ジェネレータ４０の信号を使用して刻時される形でデータ量を減らすのに使用され、好ましくはデータを圧縮する。データ圧縮は、さらに、装置を身に着けるか運ぶ人のデータを保護するように働く。許可されない人がこのデータを読み出すことは、事実上不可能である。記録された信号パケットの個数から、めいめいの人がデバイスの送信区域内にどれほど長く存在したかを判定することが、たやすく可能である。すべてのパーソナル装置に同一のクロックを使用することによって、そこで同一のクロックで動作するクロック・ジェネレータ３９を使用するコントロール・センタでのより正確で単純な一致形成も可能になる。
【００３９】
しかし、クロック周波数が、切替が可能であるように設計されているならば有利である場合がある。実際に、影響区域内に位置する人に対して短時間だけ作用する場合に、この目的を満足するデバイスがある。この場合に、めいめいのデバイスは、信号を放ち、この信号が、パーソナル装置内のクロック・ジェネレータを切り替えさせる。クロック・ジェネレータは、送信区域から出た場合に、自動的に元に切り替わる。
【００４０】
この配置を、前に説明したように、時刻と独立に操作することができ、その場合に、信号は、単に連続して保管される。しかし、時刻への割当が行われることが好ましい。時刻は、一致ルーチンにも影響することができる。デバイスが強い受入レベルまたは弱い受入レベルを有する時が重要である場合もある。時刻も影響される場合に、パーソナル装置は、時刻ディスプレイと前述の機能の両方を含む腕時計４１として実施されることが好ましい。受信器１９ａおよび１９ｂに似た設計の受信器４４のアンテナ４３を、腕時計ケーシングに収容することができ、この場合に、腕時計ケーシングは、好ましくはプラスティックからなるものとすることができるが、必ずしもそうである必要はなく、アンテナを腕時計ストラップ内に置くことができる。腕時計の前面は、時刻ディスプレイ４５を有し、望まれる場合に、たとえば、デバイス１ａから１ｃのうちの１つの送信器ユニット３ａから３ｃまたは１５によって放たれる信号の受信または記録の容易のためのさらなるディスプレイ４７を有する。ワイヤなしの形で送信され、受信器４４によって得られる低周波数（ＬＦ）識別信号によって、アンテナ４３を介して受信される（ＲＦ）信号が、アナログ／ディジタル変換器４９に供給される。条件付けされたＬＦ信号は、バッファ５０に供給され、このバッファ５０に、既に上で述べたクロック・ジェネレータ４０が作用する。クロック・ジェネレータ４０は、クロック周波数の上で述べた切替のために受信器４４に接続される。アナログ／ディジタル変換器４９は、クロック・ジェネレータ４０にも接続される。今はディジタル化されているＬＦ信号のスルー接続が、各場合に、クロック・ジェネレータ４０だけによってイネーブルされる。クロック・ジェネレータ４０のイネーブルする時刻は、検出され、後にコントロール・センタ２７内で処理される識別信号に従って決定される。イネーブルする時刻は、秒の範囲およびサブ秒の範囲内である。マイクロ秒未満の範囲でデータ・パケットを送信することも可能である。クロック・ジェネレータ４０は、一般に振動する水晶およびそれに関連するエレクトロニクスである時刻ジェネレータ５１に接続される。時刻ジェネレータ５１は、時刻ディスプレイ４５も制御する。時刻ディスプレイは、パーソナル装置を身に着けるか運んでいる人の要求に合わせてセットすることができる。時刻ジェネレータ５１は、コントロール・センタで、ＧＰＳ時刻と呼ばれるものをセットされ、水晶制御の下で非常に正確に動作することが好ましい。表示される時刻（「内部時刻」ではない）は、人が調整することができ、たとえば、いつでも時間に正確であるために、表示される時刻に５分または１０分「先」をセットする人がいる。クロック・ジェネレータ４０は、時刻ジェネレータ５１に接続され、このデバイスの識別信号の信号登録を、必ず事前定義の時刻に行うことができる。この事前定義の時刻の知識を与えられて、コントロール・センタ２７での一致の形成に関する計算出費を削ることが可能である。
【００４１】
クロック・ジェネレータ４０によって決定される残りの登録のない時間に、データが、バッファ５０から読み出され、前記バッファ５０に接続されたフーリエ変換ユニット５３で周波数スペクトルに変換される。周波数スペクトルのデータは、データ圧縮ユニット５４で圧縮され（たとえば、ハフマン符号化、レンペル−ジブ−ウェルチ処理など）、メモリ５５に保管され、このメモリ５５を、コントロール・センタ２７によって読み出すことができる。必要と考えられる場合に、圧縮された信号を暗号化することができる。フーリエ変換を実行することは、全く強制的でない。たとえばウェーブレット変換などの他の方法を使用することもできる。ディジタル化されたデータを処理する好ましい方法が、ＥＰ  ０  ５９８  ６８２  Ａ１（Ｌｉｅｃｈｔｉ  ＡＧ）に記載されている。
【００４２】
アンテナ４３を用いて受信された電磁識別信号が、既にディジタル信号として存在する場合には、アナログ／ディジタル変換器４９なしで済ませることが可能である。
【００４３】
しかし、上で述べた用法は、人がパーソナル装置４１を身に着けるか運ぶかしており、どこかに置いていない場合に限って機能する。持ち運びの状態またはこの装置が運ばれている時刻を判定するために、少なくとも１つの身体機能を検出する要素５７が、パーソナル装置４１に一体化されている。皮膚の汗、体温、血圧、脈拍などを、身体機能として使用することができ、その代わりにまたはそれに加えて、移動センサ（好ましくは水銀球を用いる）を使用することも可能である。好ましくは、パーソナル装置４１を構成する時に、脈拍を測定する。というのは、脈拍が、環境の影響による誤解を許容しないからである。代替案では、結果が曖昧でないことを保証するために、温度と移動を同時に測定することも可能である。検出された身体機能を、メモリ５５に保管することができる。身体機能が測定されない場合には、エネルギを節約するために、パーソナル装置４１の電源が切られる。
【００４４】
バッファ５０の下流に、コンパレータ５９を接続することができる。このコンパレータは、クロック・ジェネレータ４０、時刻ジェネレータ５２、およびメモリ５５に接続される。コンパレータ５９は、バッファ５０から来る信号が前の信号と異なる場合に限ってバッファ５０から来る信号を通過させる。信号が異なる場合に、最後の信号が、構成要素５３および５４を通過した後に、時刻と一緒に保管される。この方法は、メモリ５５に保管されるデータの量を減らすために使用される。
【００４５】
電磁放射によって送信された識別信号データ内容のほかに、特定の音響環境情報を保管することも可能である。暇な時間の挙動に関する結論を、これから結論することができる。
【００４６】
入力手段６３も、好ましくは腕時計として実施されるパーソナル装置４１に設けることができる。入力手段６３は、めいめいのデバイスとの「対話」を行うのに使用される。たとえば、パーソナル装置４１を身に着けており、送信範囲内に位置する人が、デバイスを知覚したかどうかだけではなく、そのデバイスがその人にどのように作用したか（肯定的、否定的、ほんのわずかになど）判定することも重要である可能性がある。これについて必要な質問を、パーソナル装置４１のディスプレイ４７に表示することができる。
【００４７】
しかし、入力手段を、新聞および実例となる定期刊行物の受入れを分析する時に、どの記事が好んで読まれたかを判定するのに使用することもできる。この場合に、入力手段は、キーの複数の割当を有する、携帯電話機のキーパッドに似たものになる傾向がある。その場合に、記事の符号と関心レベルおよび査定の符号とを入力することが可能である。近くにユニットがある場合に、めいめいの記事がどこ（自宅、列車内など）で読まれたかを判定することも可能である。
【００４８】
図４に、やはり腕時計ケーシング内に収容される、本発明によるパーソナル装置１４１のさらなる例示的実施形態のブロック図を示す。パーソナル装置１４１には、リアルタイム・クロック１５１が含まれ、このリアルタイム・クロック１５１の信号は、一方ではパーソナル装置１４１の動作（信号の受取り、装置メモリ１５５への保管など）を刻時するのに使用され、他方ではＬＣＤ１４７の時刻表示を制御するのに使用される。すべての信号および情報の受取り、処理、保管、および出力は、「システムオンチップ」プロセッサ１６４と称するものによって制御され、部分的に実行される。前記プロセッサ１６４は、内部で互いに接続されたＭＣＵ（マイクロコントローラ・ユニット）１６５およびＤＳＰ（ディジタル信号プロセッサ）１６６を有するハイブリッド・コントローラとして実施される。ＤＳＰ１６６は、具体的には、オーディオ信号の圧縮（したがって暗号化）に使用される。さらに、「システムオンチップ」プロセッサ１６４に、データを一時的に保管する内部メモリ１６７が含まれる。
【００４９】
パーソナル装置１４１には、ＲＦ受信器１４４が含まれ、このＲＦ受信器１４４は、アンテナによって電磁ＲＦ信号、具体的にはデバイスに配置された送信器ユニットからの識別信号を受信する。この信号は、ＲＦ受信器１４４によって条件付けられ（すなわち、たとえば、復調され、復号され、かつ／またはＡ／Ｄ（アナログ／ディジタル）変換される信号のタイプに応じて）、マイクロワイヤ・１ワイヤ・インターフェースを介して「システムオンチップ」プロセッサ１６４に送られる。受信され条件付けられた識別信号は、リアルタイム・クロック１５１の時刻信号による刻時を用い、「システムオンチップ」プロセッサ１６４の制御の下で、装置メモリ１５５（１６メガバイト・フラッシュ）に保管される。ＥＭＩＦＳインターフェース（外部メモリ・インターフェース・低速）が、「システムオンチップ」プロセッサ１６４と装置メモリ１５５の間ならびに「システムオンチップ」プロセッサ１６４とＬＣＤ  １４７の間に設けられる。装置メモリ１５５の内容に外部からアクセスするために、インターフェース１６８が設けられ、前記インターフェース１６８は、「システムオンチップ」プロセッサ１６４に接続され、これによって制御される。前記インターフェース１６８は、パーソナル装置１４１と、パーソナル装置１４１のユーザごとにまたはコントロール・センタ内に設けることができるドッキング・ステーションと称するものとの間の通信を可能にする。前者の場合に、ユーザは、たとえば、ドッキング・ステーションを介して装置メモリを定期的に読み出し、これをコントロール・センタに自動的に送信することができる。これによって、パーソナル装置１４１によるバックトランスミッション（ｂａｃｋｔｒａｎｓｍｉｓｓｉｏｎ）の必要なしで最新のデータが可能になる。後者の場合には、コントロール・センタ内で、データが、装置メモリから読み出され、ユーザは、このステップにかかわる必要がない。
【００５０】
パーソナル装置１４１は、その信号がアナログ・マルチプレクサ／スイッチ１７１を介して１４ビットのアナログ／ディジタル変換器（ＡＤＣ）１７２に送られる、マイクロホン１６９および対応するプリアンプ・ユニット１７０も有する。接続可能なフィルタ１７３も、プリアンプ・ユニット１７０とアナログ・マルチプレクサ／スイッチ１７１の間に設けられる。前記フィルタ１７３は、低周波数成分をフィルタリングするが、これは、サウンド信号からのラジオ送信器およびテレビジョン送信器の受入測定に必要である。他の応用例について、フィルタ１７３をバイパスし、その結果、周波数スペクトル全体をさらなる処理に使用可能にすることができる。サウンド信号またはそのある部分から生成されたディジタル信号は、次に「システムオンチップ」プロセッサ１６４の制御の下で装置メモリ１５５に保管される。さらに、そのアナログ信号もアナログ／ディジタル変換器１７２によって変換され、さらに「システムオンチップ」プロセッサ１６４で処理される温度センサ１５７ａが、アナログ・マルチプレクサ／スイッチ１７１に接続される。サウンド信号は、通常は、保管された時間期間デバイス信号と共に後に一致を形成することを可能にするために、短い時間期間（たとえば、毎分４秒の３つの期間）だけについて必要なので、アナログ・マルチプレクサ／スイッチ１７１は、この時間中に「システムオンチップ」プロセッサ１６４によってＭＰＵＩＯインターフェース（マイクロプロセッサ・ユニット入出力）を介してマイクロホン１６９に接続され、プリアンプ・ユニット１７０は、残りの時間中に温度センサ１５７ａに接続される。この形で、個々のアナログ／ディジタル変換器１７２が、２つのモジュールの信号を処理することが可能になり、単一のインターフェース（すなわちマイクロワイヤ１ワイヤ・インターフェース）だけが、「システムオンチップ」プロセッサ１６４に必要になる。
【００５１】
温度センサ１５７ａは、（なかんずく）人がパーソナル装置１４１を身に着けているか否かを判定するように働く。この判定の信頼性を高めるために、傾きセンサ１５７ｂも、パーソナル装置内に設けられる。前記傾きセンサ１５７ｂに、水銀の移動可能な球が含まれ、この球は、傾きの状態に応じて電気接触を実行する。接点の開閉は、パーソナル装置１４１が移動している（または加速している）ことを推論することを可能にし、したがって、人がその装置を身に着けている（または、少なくとも運んでいる）かどうかにも関する結論を可能にする。傾きセンサ１５７ｂの信号パターンのより微細な分析も可能であり、これによって、たとえば、人の手首に付けられているパーソナル装置に典型的でない移動パターンを除外することが可能になる。傾きセンサ１５７ｂの信号は、さらなる処理のために、ＭｃＢＳＰ（マルチチャネル・バッファード・シリアル・ポート）を介して「システムオンチップ」プロセッサ１６４に送られる。
【００５２】
温度センサ１５７ａは、（他のインデックスに加えて）人が現在建物の中または外のどちらにいるかを判定するのにも使用することができ、したがって、現在位置に関するある種の結論を引き出すことを可能にする。
【００５３】
入力手段１６３、たとえば複数の押しボタン・ノブが、パーソナル装置１４１上に配置される（下を参照されたい）。入力手段１６３をアクティブ化することによって生成された信号は、ＭＰＵＩＯインターフェースを介して「システムオンチップ」プロセッサ１６４に送られる。最後に、パーソナル装置１４１に、信号トーン、たとえば、アラーム信号、警告信号、および通知信号をユーザのために生成するブザー１７４が含まれる。
【００５４】
「システムオンチップ」プロセッサ１６４は、作られたオーディオ・データおよびＲＦデータと、センサ１５７ａ、１５７ｂの信号および入力手段１６３の信号の両方を、互いに独立に同時に処理することができ、ＬＣＤディスプレイ１４７、ブザー１７４、およびインターフェース１６８を作動させることができる。これによって、ユーザが、いつでもパーソナル装置１４１のすべての機能を使用できることと、ユーザが、いつでも、たとえば印刷媒体の使用を登録するか、他の手動アクションをアクティブ化できることが保証される。
【００５５】
図５に、パーソナル装置１４１の外観図を示す。これは、既に上で述べたＬＣＤディスプレイ１４７と、３つのサイド・ボタン１９０、１９１、および１９２と、ＬＣＤディスプレイ１４７の上下に配置された２つのスクロール・アクティブ化ボタン１９３および１９４（正三角形と称する）とを有する腕時計の形である。一番上のサイド・ボタン１９０（「取消」）は、一般に、アクションを逆転するか打ち切るように働く。これらのボタンのうちの中央のボタン１９１（「確認」）は、確認を行うのに使用され、これらのボタンのうちの下のボタン１９２（「アクティブ化」）は、アクティブ化機能を有する。ユーザ・プロンプトも、下で詳細に説明する。薄膜ボタンまたは接触感知ディスプレイ（「タッチ・スクリーン」）の一部として実施されるスクロール・アクティブ化ボタン１９３および１９４は、たとえば複数の可能性から選択が行われる時に、表示されている内容を上下にスクロールするように働く。前述の機能に加えて、入力手段１６３は、腕時計に通例である機能を使用可能にする（時刻、日付、およびアラームの設定、ストップウォッチ機能など）。たとえば、ボタン１９０および１９２（「取消」および「アクティブ化」）を同時に５秒間押し下げることによって、ユーザは、時刻および日付の設定を開始することができる。
【００５６】
印刷媒体の受入レベルを判定する機能の方法を、図６Ａ〜Ｍに関して説明する。ユーザ・プロンプト・システムのさまざまなステップ中のＬＣＤディスプレイ１４７のめいめいの状態を、これらの図面に示す。一般に、入力手段１６３すなわちボタン１９０、１９１、および１９２ならびにスクロール・アクティブ化ボタン１９３および１９４に関する情報は、登録されており、前記情報は、印刷媒体の受入レベルを決定するのに使用される。ユーザ・プロンプトは、ＬＣＤディスプレイ１４７によって実行される。
【００５７】
ユーザが、印刷媒体のそのユーザによる使用すなわち、新聞または定期刊行物を読むことを登録するのを忘れないようにするために、ユーザに、定期的に、たとえば毎日３回（たとえば、午前１０時３０分、午後１時３０分、および午後９時に）、具体的には新聞または定期刊行物の使用がその日に既に登録されているかどうかに無関係に、思い出させる。思い出させる合図は、純粋に視覚的な形で与えられる。というのは、可聴の思い出させる合図の信号が、ユーザを妨害する（たとえば、その信号が会話中またはコンサート中に発生する場合に）可能性があるからである。このために、図６Ａに示されているように、新聞の記号が、疑問符と一緒に、５分間だけディスプレイ１４７に含まれる。ユーザは、ボタン１９２（「アクティブ化」）をアクティブ化することによって新聞を読むことを登録することを望むことを確認するか、他の横ボタン１９０および１９１のうちの１つを押すことによって、丁度その時に読むことが行われていないことを指定するのいずれかを行うことができる。この場合に、システムは、時刻および日付を伴う通常の表示に切り替わる。しかし、視覚的な思い出させる合図の代わりに、無音バイブレータを使用することも可能である。
【００５８】
新聞の記号を疑問符と一緒に５分間だけディスプレイ１４７に含めることの代わりに、ディスプレイを、操作されるまでそのままにすることもできる。音響の妨害を引き起こさない視覚的な思い出させる合図の代わりに、好ましくは、無音振動信号をパーソナル装置１４１の基部に送ることもできる。
【００５９】
ユーザは、他のどの時にも、彼自身で印刷媒体の使用の登録を開始することもできる。これを行うために、ユーザは、パーソナル装置１４１の通常の動作状態で、一番下の横ボタン１９２（「アクティブ化」）を押す（図６Ｂに図示）。どちらの場合でも、読むことの登録の選択は、図６Ｃに示された表示によって確認され、この表示には、新聞の記号が示され、新聞を読むこと（“Ｎｅｗｓｐａｐｅｒ”）が登録されようとしていることが示されている。ユーザが、雑誌を読むことを登録したい場合には、ユーザは、ボタン１９２（「アクティブ化」）をもう一度押し、その後、雑誌を読むこと（“Ｍａｇａｚｉｎｅ”）が登録されることが新たに指定される。もちろん、さらなるカテゴリ（書籍、前述のカテゴリのサブグループなど）を設けることができる。
【００６０】
新聞と定期刊行物だけが区別される、図示の場合には、図６Ｄに示された表示が約１秒残り、その後、システムが定期刊行物の選択に自動的に変化する（図６Ｅを参照されたい）ならば十分であり、ユーザによる確認を行う必要はない（ユーザは、どの場合でも、最初の登録処理の後に、めいめいの読むことに応じて、１回または２回のいずれかだけ、「アクティブ化」ボタン１９２を「ブラインドで」押す）。
【００６１】
定期刊行物の選択は、各場合に、３行で上下に３つの題名を示す。中央の題名表示は、各場合に、中央横ボタン１９１（「確認」）を押すことによって選択することができる。上ボタン１９０（「取消」）を押すと、印刷媒体使用の登録が打ち切られ、時刻および日付がもう一度表示される（図５を参照されたい）。ユーザが、異なる定期刊行物、この示された例では第１行にある“Ｎｅｗｓｗｅｅｋ”を選択したい場合に、ユーザは、２つのスクロール・アクティブ化ボタン１７３および１７４のうちの１つを押すことによって、示されたリスト内でスクロールすることができる。
【００６２】
選択可能な新聞または定期刊行物のリストは、前もって、パーソナル装置１４１の提供者によってこの装置に保管される。ユーザが、題名を選択する時に選択対象全体（おそらく１００個を超える題名を有する）を通過する必要をなくすために、複数の題名（好ましくは１０の最大値）を、「お気に入り」として特徴付けることができる。これらは、必ず、選択リストの最上部に現れるが、そのシーケンスは、選択処理ごとにランダムに（または事前定義のシステムに従って）変更され、その結果、決定の結果を、固定されたシーケンスによって系統的に偽造することが不可能になる。お気に入りは、パーソナル装置１４１の実際の使用の前に定義され、前記使用は、たとえば、ユーザが事前に書き込まなければならないアンケート（後の分析に使用されるデータの収集に関する）を基礎とし、既存情報（たとえば、ユーザのネイティブ言語および居住場所）を基礎として実行される。ユーザは、たとえば、購入しているものの題名と、定期的に買うか読むものを指定している。お気に入りリストがまだ満杯でない場合に、ユーザが手動で選択した新聞または定期刊行物も、パーソナル装置１４１の使用中にそのリストに含まれる。お気に入りリストは、ランキングとして編成することもできる、すなわち、「お気に入りでない」題名の１つが、最も使用されていないお気に入りより頻繁に選択されるや否や、その新しい題名が、お気に入りリストに移動され、以前のお気に入りを追い出す。
【００６３】
図示の場合では、ユーザが、まず、題名を選択するために上スクロール・ボタン１９３を押し、その結果、さらなる定期刊行物（“Ｇａｒｄｅｎｉｎｇ”）が、最上部に表示され、定期刊行物“Ｎｅｗｓｗｅｅｋ”が、新たに中央の行に表示される（図６Ｆを参照されたい）。次に、ユーザは、中央横ボタン１９１（「確認」）を押すことによって、この選択を確認する。
【００６４】
次に新聞の記号（図６Ｇに図示）が、“Ｅｄｉｔｉｏｎ”と共に、読まれる版を次に選択することをユーザに示すために、１秒間ユーザに表示される。約１秒の値に、図６Ｈに示された選択対象が提示される。定期刊行物リストに似て、ユーザは、スクロール・アクティブ化ボタン１９３および１９４ならびに「確認」ボタン１９１をアクティブ化することによって、読む版を選択することができる。図示の場合に、ユーザは、たとえば毎週または毎月発行される出版物に適当なように、最新版（“Ａｃｔｕａｌ”）、前の版（“Ｐｒｅｖｉｏｕｓ”）、または別の（より以前の）版（“Ｏｔｈｅｒ”）の間で選択することができる。
【００６５】
ユーザが版を選択するや否や、現在時刻が、もう一度ディスプレイ１４７に表示されるが、通常動作状態と比較して変更された表現で表示され、時間のより小さい数字と分の上付きになった大きい数字を有する（図６Ｉを参照されたい）。秒は表示されない。さらに、新聞の記号が、右下に表示され、選択された新聞または定期刊行物の名称すなわち、図示の場合では“Ｎｅｗｓｗｅｅｋ”が、一番上に表示される。この時から、読むことの持続時間が登録される。このフェーズでは、一番上の横ボタン１９０を押すことによって打ち切ることは、もはや不可能である。一番下のボタン１９２または確認ボタン１９３および１９４を押すことも、このフェーズでは効果がない。
【００６６】
読んでいる間に、ユーザは、読み終えた時に信号を送らなければならないことを定期的に思い出さされる（たとえば、最初は３０分後、その後１５分ごとに）。この思い出させる合図は、一方ではパーソナル装置１４１（図６Ｊ）のディスプレイ１４７での５秒間の長さの視覚的メッセージ“Ｓｔｉｌｌ  ｒｅａｄｉｎｇ？（まだ読んでいますか）”によって、他方では可聴信号によって与えられる。メッセージ“Ｓｔｉｌｌ  ｒｅａｄｉｎｇ？”は、単に例と考えられたい。もちろん、単一のメッセージの代わりに、日時順シーケンスで複数のメッセージを表示することも可能である。特に英語以外の言語も使用することができる。
【００６７】
ユーザが読み終える（または別の新聞もしくは定期刊行物を読み始める）や否や、ユーザは、中央ボタン１９１（「確認」）を押す（図６Ｋを参照されたい）。これは、思い出させるメッセージと独立に行うこともできる。次に、登録処理が終了し、判定されたデータ（読まれた題名、版、時刻、持続時間）が、装置メモリに保管され、図６Ｌによる通信が、３秒間だけユーザに表示される。次に、パーソナル装置は、通常状態に戻り、もう一度時刻（秒を伴う）および日付を表示する（図６Ｍ）。
【００６８】
印刷媒体の使用が、本発明に従ってパーソナル装置に登録される時に、例示されたすべてのステップを各場合に実行する必要はない。たとえば、使用の期間の判定なしで済ませる場合には、登録処理は、選択された題名の確認（図６Ｈ）の後に終了する。版の登録（図６Ｇ、６Ｈ）を省略することもできる。少数の題名だけが選択に使用可能である場合には、「新聞」および「定期刊行物」への区別なしで済ませることもできる（図６Ｃ、６Ｄ）。
【００６９】
しかし、追加のステップを設けることもでき、その結果、たとえば、ユーザが、たとえば新聞のどの部分（政治、スポーツ、文化、ローカル・ニュースなど）を読むかを選択できる追加の選択を要求することが可能である。
【００７０】
図７に、使用の位置を登録する時のパーソナル装置１４１のディスプレイ１４７を示す。時刻および日付が表示される位置および形式は、位置に割り当てられた記号を表示できる空き空間がディスプレイの右下部分に設けられる形で調和されている。図示の場合に、表示は、「自宅」が現在の使用の場所としてセットされることをユーザに示す、様式化された小さい家である。ユーザは、スクロール・アクティブ化ボタン１９３および１９４のうちの１つを押すことによって、手作業で位置（位置符号）を調整することができる。その結果、「自宅」、「通勤中」、「職場」、「レストラン」などの使用可能な位置（または位置カテゴリ）をスクロールすることができる。位置符号は、パーソナル装置１４１が既知のデバイスの識別信号を受信し、現在セットされているものと別の位置（または異なる位置カテゴリ）に割り当てることができる時に、自動的に変更することもできる。デバイスまたは媒体の使用が、登録され、装置メモリに保管される場合に、現在位置も、同時に保管される。これによって、登録データの評価中の、使用の位置に関する詳細な結論、たとえば、ラジオが職場で聞かれているかどうかまたは新聞が公共交通機関での通勤中に読まれているかどうか、したがって、また自宅と職場または通勤中のさまざまなラジオ送信器または新聞題名の使用に相違があるかどうかの詳細な結論が可能になる。さらに、「任意選択」消費（自宅）を、「サード・パーティによって決定される」消費（たとえばレストランでのラジオ送信）と区別することができる。
【００７１】
図８に、ある人の登録時間期間の終りの後のパーソナル装置１４１のディスプレイ１４７を示す。パーソナル装置１４１に保管されたデータの送信は、パーソナル装置１４１をコントロール・センタに送り返すことによって最も単純に行われ、このコントロール・センタで、データが装置メモリから読み出され、評価される。最新の評価が可能になるようにするために、パーソナル装置は、特定の時間期間（数日から数週間）の間だけ１人の個別の人に発行される。この時間期間の終りの後に、その人は、パーソナル装置１４１をコントロール・センタに返すことを要求される。この時間期間の満了は、図８に示されたメッセージ“ｐｌｅａｓｅ  ｓｅｎｄ  ｂａｃｋ（送り返してください）”によってその人に示される。その人が、このメッセージで驚かず、時刻または日付の情報が突然使用不能にならないようにするために、このメッセージを、まずパーソナル装置１４１の通常表示と交互に発行することができ、あるいは、その人が定義されたボタンを押している限り時刻および日付の表示を継続する。このメッセージは、ある時間の後（たとえば２４時間後）にのみ永久的に表示される。デバイスおよび媒体の使用の感知は、所定の時間期間の満了の後に自動的に停止することができる。
【００７２】
キーパッドに加えてまたはその代わりに、プラグ接続を設けることもできる。その場合に、電磁放射のもう１つの受信器を、このプラグ接続に接続することができる。この受信器は、そのデータ内容がメモリ５５に保管されるさらなる信号の無線送信に使用することができる。次に、このデータを、直接にまたは上で説明した圧縮の後にさえ保管することができる。圧縮は、パーソナル装置内またはコントロール・センタで実行することができる。
【００７３】
しかし、パーソナル装置を運ぶか身に着けている人の部屋に、「ドッキング・ステーション」と称するものを設けることもできる。この「ドッキング・ステーション」は、好ましくは電話網を介して、コントロール・センタに接続される。非集中「ドッキング・ステーション」が設けられる場合に、データが事実上毎日「ドッキング・ステーション」に転送されるので、パーソナル装置でのデータ圧縮なしで済ませることが可能である。必要な場合には、「ドッキング・ステーション」が圧縮を実行することができる。
【００７４】
たとえば、バー・コード・リーダを使用し、それを用いてデータを判定し、無線の形で転送することが可能である。この形で、ヘッドセットを用いて聞き、したがって通例の可聴送信器リスニング記録を用いて評価できない人のリスニング習慣を登録することも可能である。小さい送信器ユニットを、ヘッドセット・ソケットに接続し、次にヘッドセット・ケーブルを、前記ユニットに接続する。この送信器ユニットの送信器は、非常に短い範囲を有する。必要なものは、パーソナル装置（「腕時計」）への送信リンクを維持することだけである。
【００７５】
入力手段を使用して、パーソナル装置内の蓄電池を充電し、タイマの正しいセッティングを検査することもできる。
【００７６】
パーソナル装置を腕時計として実施する代わりに、たとえばブローチなどの装身具として実施することも可能である。パーソナル装置を耳あての形で実施することも可能である。パーソナル装置が、さらに、ラジオ送信およびテレビジョン送信の受入レベルを単独でまたはデバイスの識別信号と一緒に記録するのに使用される場合に、追加のマイクロホンを使用し、そのデータ圧縮を、電磁信号の圧縮に似た形で実行することが可能である。送信がヘッドセットを用いて聞かれている時のヒアリングを維持するために、対応する電磁放射の送信器をヘッドセット・ケーブルに含めることができる。
【００７７】
ギガヘルツ範囲またはサブギガヘルツ範囲の高周波数放射が、電磁放射として使用されるが、可視範囲または不可視範囲付近での可視放射を使用することも可能である。
【００７８】
各デバイスは、少なくとも１つのデバイス送信器を有する。たとえば、送信区域を空間的に広げるために、複数のデバイス送信器を設けることが可能である。異なる識別信号を放つ複数の送信器を設けることも可能である。人の異なるグループについて指定されたパーソナル装置を配布する場合に、これが有利である場合がある。
【００７９】
各デバイス送信器は、搬送波周波数を放つ超高周波数成分（ギガヘルツ、光）と、搬送波周波数に印加される識別信号用の低周波数成分を有する。識別信号は、プログラム可能であるが比較的長い時間期間にわたって固定されるデータ・シーケンスとすることができるが、連続的に変化するデータ・シーケンスとすることもできる。
【図面の簡単な説明】
【００８０】
【図１】経時的な人の挙動を判定する配置の実施形態変形を示す概略図である。
【図２】注意または知覚の範囲、送信区域、および受信区域の関係を示す概略図である。
【図３】パーソナル装置の例示的実施形態を示す図である。
【図４】パーソナル装置のさらなる例示的実施形態を示すブロック図である。
【図５】パーソナル装置を示す外観図である。
【図６】印刷媒体の使用の登録中のパーソナル装置のディスプレイを示すさまざまな図である。
【図７】使用の位置を登録する時のパーソナル装置のディスプレイを示す図である。
【図８】ある人の登録時間期間の終りの後のパーソナル装置のディスプレイを示す図である。
【図１】
2007504724.tif 000003
【図２】
2007504724.tif 000004
【図３】
2007504724.tif 000005
【図４】
2007504724.tif 000006
【図５】
2007504724.tif 000007
【図６】
2007504724.tif 000008
【図７】
2007504724.tif 000009
【図８】
2007504724.tif 000010
【国際調査報告】
2007504724.tif 000011
2007504724.tif 000012
2007504724.tif 000013
2007504724.tif 000014
2007504724.tif 000015
2007504724.tif 000016
2007504724.tif 000017
2007504724.tif 000018